(57)【要約】【課題】球切れ予告を行うことで客先に対しランプ切れに伴う不快感をなくす乗場位置表示器のランプ球切れ時期報知装置を得る。【解決手段】エレベータの各階乗場にそれぞれ設けられた乗場位置表示器１０、２０、・・・、４０、５０と、乗場位置表示器にそれぞれ接続された乗場制御装置６０ｍ７０、・・・、９０、１００と、乗場制御装置に伝送ライン６を介して接続されると共に乗場制御機器からの情報に基づいて遠隔地に設けられた保守センター９に保守情報を発報するエレベータ制御盤２とを備え、乗場制御装置は、乗場位置表示器のランプ点灯時間及びランプ点灯回数を記憶し、初期設定時に定めた点灯時間及び点灯回数に到達した場合に、球切れ予告信号をエレベータ制御盤２に出力し、エレベータ制御盤２は、乗場制御装置からの球切れ予告信号を保守情報として保守センター９に発報する。【選択図】図１
2005187101.tif 000002
【特許請求の範囲】
【請求項１】
エレベータの各階乗場にそれぞれ設けられた乗場位置表示器と、
前記乗場位置表示器にそれぞれ接続された乗場制御装置と、
前記乗場制御装置に伝送ラインを介して接続されると共に前記乗場制御機器からの情報に基づいて遠隔地に設けられた保守センターに保守情報を発報するエレベータ制御盤と
を備え、
前記乗場制御装置は、前記乗場位置表示器のランプ点灯時間及びランプ点灯回数を記憶し、初期設定時に定めた点灯時間及び点灯回数に到達した場合に、球切れ予告信号を前記エレベータ制御盤に出力し、
前記エレベータ制御盤は、前記乗場制御装置からの球切れ予告信号を保守情報として前記保守センターに発報する
ことを特徴とする乗場位置表示器のランプ球切れ時期報知装置。
【請求項２】
請求項１に記載の乗場位置表示器のランプ球切れ時期報知装置において、
前記エレベータ制御盤は、定期点検時に各階の乗場位置表示器のランプ点灯時間及びランプ点灯回数を確認する為の表示画面を有するランプ点灯確認装置を備えた
ことを特徴とする乗場位置表示器のランプ球切れ時期報知装置。
【請求項３】
請求項２に記載の乗場位置表示器のランプ球切れ時期報知装置において、
前記ランプ点灯確認装置は、ランプ点灯時間及び点灯回数のリセット機能を備えた
ことを特徴とする乗場位置表示器のランプ球切れ時期報知装置。
【請求項４】
請求項２に記載の乗場位置表示器のランプ球切れ時期報知装置において、
前記ランプ点灯確認装置は、前記乗場制御装置に初期設定時に定めた点灯時間及び点灯回数に到達する前にランプ切れが発生した場合に、初期設定時に定めた点灯時間及び点灯回数を見直す学習機能を備えた
ことを特徴とする乗場位置表示器のランプ球切れ時期報知装置。
【請求項５】
請求項２に記載の乗場位置表示器のランプ球切れ時期報知装置において、
前記ランプ点灯確認装置は、各階乗場のランプ点灯時間及び点灯回数を印刷するプリンタ機能を備えた
ことを特徴とする乗場位置表示器のランプ球切れ時期報知装置。
【発明の詳細な説明】
【技術分野】
【０００１】
この発明は、エレベータにおける乗場位置表示器のランプ球切れ時期を報知する装置に関するものである。
【背景技術】
【０００２】
従来、エレベータの乗場位置表示器のランプ球切れを短時間で検出して利用者に迷惑をかける時間を最小限に抑えるようにした乗場位置表示器のランプ球切れ検出装置がある（特許文献１参照）。
【０００３】
【特許文献１】特開平８−５９１１３号公報
【発明の開示】
【発明が解決しようとする課題】
【０００４】
しかしながら、上述した従来の乗場位置表示器のランプ球切れ検出装置は、ランプの球切れ発生後に動作する機器であり、さらに、球切れ検出から修理を終えるまでの間、客先に対し迷惑をかけざるを得なかった。
【０００５】
この発明は上述した従来例に係る問題点を解消するためになされたもので、球切れ予告を行うことにより、客先に対しランプ切れに伴う不快感をなくすことを可能にすることができる乗場位置表示器のランプ球切れ時期報知装置を得ることを目的とする。
【課題を解決するための手段】
【０００６】
この発明に係る乗場位置表示器のランプ球切れ時期報知装置は、エレベータの各階乗場にそれぞれ設けられた乗場位置表示器と、前記乗場位置表示器にそれぞれ接続された乗場制御装置と、前記乗場制御装置に伝送ラインを介して接続されると共に前記乗場制御機器からの情報に基づいて遠隔地に設けられた保守センターに保守情報を発報するエレベータ制御盤とを備え、前記乗場制御装置は、前記乗場位置表示器のランプ点灯時間及びランプ点灯回数を記憶し、初期設定時に定めた点灯時間及び点灯回数に到達した場合に、球切れ予告信号を前記エレベータ制御盤に出力し、前記エレベータ制御盤は、前記乗場制御装置からの球切れ予告信号を保守情報として前記保守センターに発報することを特徴とする。
【発明の効果】
【０００７】
この発明によれば、乗場制御装置にて乗場位置表示器のランプの点灯時間及び点灯回数を記憶し、初期設定時に定めた点灯時間及び点灯回数に到達した場合、エレベータ制御盤を経由して保守センターにランプ球切れ予告することにより、客先に対しランプ切れに伴う、不快感をなくすことが可能となる。
【発明を実施するための最良の形態】
【０００８】
図１は、この発明の実施の形態に係る乗場位置表示器のランプ球切れ時期報知装置を示す全体構成図である。図１に示すように、エレベータ機械室１内のエレベータ制御盤２は、乗場位置表示器のランプ点灯時間及び点灯回数を確認するための表示画面を有するランプ点灯確認装置３と、そのランプ点灯確認結果に基づいて遠隔地に設けられたエレベータ保守センター９ヘ保守情報としてランプ球切れ予告を発報するランプ球切れ予告発報用通信装置４とを備えている。ランプ点灯確認装置３は、プリンタ機能を備えていて、プリンタ５に、定期点検時に各階乗場位置表示器のランプ点灯時間及び点灯回数をプリントアウトすることができるようになされている。
【０００９】
前記ランプ点灯確認装置３は、エレベータ乗場信号伝送ライン６を介して各階の乗場位置表示器１０、２０、・・・、４０、５０に接続された乗場制御装置６０、７０、・・・、９０、１００と接続され、また、エレベータかご信号伝送ライン７を介してエレベータかご８内機器と接続されている。なお、乗場位置表示器１０は最下階の乗場位置表示器、乗場位置表示器２０は最下階＋１階の乗場位置表示器、乗場位置表示器４０はＮ階＋１階の乗場位置表示器、乗場位置表示器５０は最上階の乗場位置表示器をそれぞれ示し、同様に、乗場制御装置６０は最下階の乗場制御装置、乗場制御装置７０は最下階＋１階の乗場制御装置、乗場制御装置９０はＮ階＋１階の乗場制御装置、乗場制御装置１００は最上階の乗場制御装置をそれぞれ示している。
【００１０】
次に、図２は、乗場制御装置の一構成例を示すブロック図であり、各階の乗場制御装置とも同様な構成を備えており、乗場制御装置６０を代表例として示している。図２に示すように、乗場制御装置６０は、乗場位置表示器１０の各階のランプと接続されたドライブ回路６１と、ドライブ回路６１にバスを介して接続されたランプ切れ検出回路６２と、ドライブ回路６１にバスを介して接続されたランプ点灯時間及び点灯回数を記憶する記憶装置６３と、記憶装置６３に接続されたＩ／Ｆ回路６４とを備えており、記憶装置６３は、ＣＰＵ６３ａ、ＲＯＭ６３ｂ、階床設定スイッチ６３ｃ、ＲＡＭ６３ｄを備えている。
【００１１】
ここで、前記ランプ切れ検出回路６２は、各階床の位置表示用ランプ及び方向灯用ランプのランプ切れ情報をドライブ回路６１からバスを介して受取り、記憶装置６３へ出力する回路である。また、Ｉ／Ｆ回路６４は、エレベータ機器との通信を行う為のＩ／Ｆ回路であり、ここではエレベータ乗場信号伝送ライン６を介してエレベータ制御盤２と通信を行う為のＩ／Ｆ回路である。
【００１２】
記憶装置６３は、エレベータ乗場信号伝送ライン６を介してエレベータ制御盤２から送信されるエレベータ制御信号に含まれるランプ点灯時間及び点灯回数の初期設定値情報を識別してＲＯＭ６３ｂに記憶する。また、エレベータ制御信号に含まれるランプ交換情報によりＲＯＭ６３ｂに記憶されているランプ交換前までのランプ点灯時間及び点灯回数のデータをリセットする。さらに、ＲＯＭ６３ｂに記憶されているランプ点灯時間及び点灯回数のデータが初期設定値に到達した場合は階床設定スイッチ６３ｃにて設定される自階床データと初期設定値に到達したランプの階床または方向灯（ＵＰ灯、ＤＮ灯）の情報を合わせてＩ／Ｆ回路６４を経由しエレベータ制御盤２へ送信する。
【００１３】
図３は、この発明の実施の形態に係る乗場位置表示器のランプ球切れ時期報知装置による動作を説明するフローチャートを示す。このフローチャートでは、例えば乗場制御装置（６０、７０，・・・、９０，１００）による乗場位置表示器（１０、２０，・・・、４０，５０のランプ球切れ検出動作を説明し、主に、乗場制御装置６０内のランプ点灯時間及び点灯回数を記憶する記憶装置６３のＣＰＵ６３ａによる制御動作を説明する。
【００１４】
まず、乗場位置表示器のランプ交換が実施されたかどうかを確認する（ステップＳ１）。ランプ交換を実施したかどうかの情報はエレベータ制御盤２から受取る。ランプ交換を実施していれば、交換したランプの点灯時間及び点灯回数をリセットする司令をＲＯＭ６３ｂに出力する（ステップＳ９）。ステップＳ９を経た後またはランプ交換が未実施の状態であれば、ランプ点灯時間、ランプ点灯回数の設定値に変更がないかどうかを確認する（ステップＳ２）。
【００１５】
ステップＳ２において、ランプ点灯時間、ランプ点灯回数の設定値に変更があれば、変更されたランプ点灯時間、点灯回数をＲＯＭ６３ｂに設定する（ステップＳ１０）。ステップＳ１０を経た後またはランプ点灯時間とランプ点灯回数の設定値に変更がなければ、エレベータかごの移動に伴い、乗場位置表示器のランプ及び方向灯用ランプの点灯時間及び点灯回数を加算してＲＯＭ６３ｂに記憶させる（ステップＳ３）。
【００１６】
そして、ＲＯＭ６３ｂに記憶されている現在のランプ点灯時間及び点灯回数が設定値に到達したかどうかを確認する（ステップＳ４）。設定値に到達していなければ、ランプ切れ検出回路６２から出力されるランプ切れ信号が出力されたかどうかを確認する（ステップＳ５）。設定値に到達していればまたはランプ切れが発生していれば、乗場制御装置からエレベータ制御盤２に備えられているランプ点灯確認装置３ヘランプ球切れ予告信号またはランプ切れ信号を出力する（ステップＳ６）。
【００１７】
エレベータ制御盤２は、これに基づいて、ランプ点灯確認装置３からランプ球切れ予告発報用通信装置４ヘランプ球切れ予告信号またはランプ切れ信号が出力され（ステップＳ７）、ランプ球切れ予告発報用通信装置４からエレベータ保守センター９ヘランプ球切れ予告信号またはランプ切れ信号が出力される（ステップＳ８）。上記ステップＳ５においてランプ切れが発生していない状態またはステップＳ８の処理が完了したら、ステップＳ１に戻り、同様の動作を電源が遮断されるまで繰り返される。
【００１８】
上述した実施の形態によれば、エレベータ乗場の乗場位置表示器のランプは、エレベータの動作により点灯時間及び点灯回数が異なる為、ランプ交換時期を設定することが不可能であったが、各階の乗場制御装置にて乗場位置表示器のランプの点灯時間及び点灯回数を記憶し、初期設定時に定めた点灯時間及び点灯回数に到達した場合、エレベータ制御盤２を経由してエレベータ保守センター９にランプ球切れ予告することにより、客先に対しランプ切れに伴う、不快感をなくすことが可能となる。
【００１９】
また、ランプ点灯確認装置３をエレベータ制御盤２に備えることにより、定期点検時、各階乗場のランプ状況を表示画面で把握することが可能となる為、保守時間の軽減となる。また、初期設定時に定めた点灯時間及び点灯回数間近のランプについても表示画面で確認できる為、早期交換が実施可能となり、ランプ球切れ予告発報連絡が少なくなり、保守時間が軽減される。
【００２０】
また、ランプ点灯確認装置３に、ランプ点灯時間及び点灯回数のリセット機能を備えることにより、ランプ球切れ予告に対するランプ交換時のランプ点灯時間及び点灯回数リセットがエレベータ制御盤２で全階床分をまとめて実施可能となり保守時間の軽減となる。
【００２１】
また、ランプ点灯確認装置３に、前記乗場制御装置に初期設定時に定めた点灯時間及び点灯回数に到達する前にランプ切れが発生した場合に、初期設定時に定めた点灯時間及び点灯回数を見直す学習機能を備えることにより、ランプ種類またはランプの容量が異なるランプについても使用可能となる。
【００２２】
さらに、ランプ点灯確認装置３に、各階乗場のランプ点灯時間及び点灯回数を印刷するプリンタ機能を備えることにより、定期点検時に確認する各階乗場のランプ点灯時間及び点灯回数をノートに記載または定期点検者が記憶することが不要となり保守時間が軽減となる。
【図面の簡単な説明】
【００２３】
【図１】この発明の実施の形態に係る乗場位置表示器のランプ球切れ時期報知装置を示す全体構成図である。
【図２】図１の乗場制御装置の一構成例を示すブロック図である。
【図３】この発明の実施の形態に係る乗場位置表示器のランプ球切れ時期報知装置による動作を説明するフローチャートである。
【符号の説明】
【００２４】
１  エレベータ機械室、２  エレベータ制御盤、３  ランプ点灯確認装置、４  ランプ球切れ予告発報用通信装置、６  エレベータ乗場信号伝送ライン、９  エレベータ保守センター、１０、２０、・・・、４０、５０  乗場位置表示器、６０、７０、・・・、９０、１００  乗場制御装置。
【図１】
2005187101.tif 000003
【図２】
2005187101.tif 000004
【図３】
2005187101.tif 000005